(57)【要約】【課題】装着時に身体にフィットし易く、体液の吸収が速やかでかつ長時間にわたる着用でも横漏れがない体液吸収具を提供すること。【解決手段】肌布a、吸収布bの両端を折り返してhにて縫着し、それをくるむように遮水布cを配する。主に体液が排出される中央部では、柄布dとの縫着がないため、体液を完全にa及びbにて吸収し、cによってd及び外部への漏れを防ぐことができる。この時縫着線hは、両端から中央に向けて円弧を描くようにすることで腿周りの擦過が生じにくくなる。a〜cをdもしくは下穿きへ縫着する際は前端と後端のみに行う。【選択図】図８
2016005499.tif 000002
【特許請求の範囲】
【請求項１】
瞬間的な吸収量が多く撥水性が低い性質を持つ吸収布等の下に遮水性を有する布もしくはシートを配した体液吸収具であって、前端と後端のみを、下穿きに固定するための布等もしくは下穿きに縫合することを特徴とするもの。
【請求項２】
前記吸収布等を両端から内側に折り返すように縫合したものであって、吸収布等と遮水性を有する布もしくはシートとの縫合線の位置が、吸収布等の中心部よりも高くなっていることを特徴とする請求項1記載の体液吸収具。
【請求項３】
前記吸収布等を内側に折り返す際に、両端から中心部に向けて円弧を描くように縫合することを特徴とする請求項2に記載の体液吸収具。
【発明の詳細な説明】
【技術分野】
【０００１】
本発明は、布製の尿失禁パッド、生理用ナプキン、パンティーライナー等の体液吸収具及びそれを縫着した吸収付下穿きに関する。
【背景技術】
【０００２】
尿失禁とは、自分の意志に関係なく尿が漏れる症状をいう。尿失禁の経験者は加齢とともに多くなると言われているが、先天性疾患により幼少時から発症する場合もある。近年、”尿もれ”は誰にでも起こりうる問題として意識され、それとともに多くの商品が紙製品・布製品の形態で発売されるようになってきた。しかし、特に布製品の性能面では、横漏れや伝い漏れの問題が解消されておらず、更なる改善が望まれている。
【０００３】
生理用ナプキンやパンティライナーに関しては、尿失禁対策用の吸収パッドと比較すると認知度が高く商品数も多いが、尿失禁対策用と同様に布製品においては横漏れや伝い漏れを解消できていないのが現状である。
【０００４】
従来、布製の失禁パッド及び生理用ナプキン等体液吸収具は、代表的なものとして図1に示すように肌布aの下面に吸収布bを配置し、その下面に遮水布cを、さらに下に柄布dを配置し、全周縁部をミシン縫合したものが知られている。
【０００５】
前記図1の体液吸収具は、図2に示すように下穿きfの股部に置き、図3に示すように股部をくるんでスナップ等の止め具eで固定する。
【０００６】
前述のように装着された従来の体液吸収具が図4であるが、遮水布を配しているにも関わらず横モレの解消には至っていない。
【０００７】
図4x−x線断面の略示拡大図を図5、図6に示す。図5のように、排出された体液の瞬間的な量が多いと、吸収布が全量を吸収する前に体液が布の表面を伝って横へ、更には下へとこぼれる。
【０００８】
前述の横モレを解消するためには、肌布a及び吸収布bに瞬間的な吸収量が多く撥水性が低いものを用いるが、瞬間吸収量が多い布は拡散も早いという性質も併せ持つため、時間の経過に従って図6に示すように布の内部で拡散しながら横へ、更には下へと染み出す。
【０００９】
吸収付下穿きは、吸収布と遮水布とを股部に配し、通常の下穿きと同形状に縫製したものが用いられており、中には針穴からの漏れや横漏れが起こり難いよう工夫されたものもある（特許文献１）。
【００１０】
しかしながら、上記の下穿きは、表層の端部から中央部に向かって張り出したウイング部を構成する布帛が吸収性を持つため、透過した水分が漏れ出ることになり、問題点の解決には至っていない。
【先行技術文献】
【特許文献】
【００１１】
【特許文献１】特開平10-113358
【発明の概要】
【発明が解決しようとする課題】
【００１２】
本発明の目的は、上記従来技術の有する問題点を解消し、吸収が速やかでかつ長時間にわたる着用でも横漏れがなく、装着時に身体にフィットし易い体液吸収具を提供することにある。
【課題を解決するための手段】
【００１３】
図5及び図6に示す横漏れを防ぐために、肌布a及び吸水布bで吸収した体液が下穿きfへの装着部分である柄布dに滲出しないように、遮水布cによって分離させた。
【００１４】
又、肌布a及び吸水布bをあわせて両端部から内側に向かって折り返すように縫合することによって、体液を堰き止めると同時に保水量が増えるようにした。
【発明の効果】
【００１５】
本発明による体液吸収具は、厚みが薄いにも関わらず確実に尿、経血、おりもの等の体液を吸収して、下着や外衣から遮断する。漏れが少なく、肌ざわりも良い。また、装着時に身体にフィットし易く、運動時、座位、立位時にもよれたり、すれたりしにくくて、体表面に不必要な圧迫や擦過も生じない。しかも、吸収した体液を洗濯、乾燥等により除去して繰り返し使用が可能であり、吸収力も低下しないため、ランニングコストや環境保全の点からも優れている。
【図面の簡単な説明】
【００１６】
【図１】従来の体液吸収具の構造図。
【図２】従来の体液吸収具の装着方法を示した図。
【図３】従来の体液吸収具を装着し、下から見た図。
【図４】従来の体液吸収具を装着し、上から見た図。
【図５】図4ｘ−ｘ線の断面の略示拡大図。
【図６】図4ｘ−ｘ線の断面の略示拡大図であり、肌布aと吸収布bに瞬間的な吸収量が多いものを配した場合の図。
【図７】本発明に係る体液吸収具の装着図。
【図８】図7中y−y線断面の略示拡大図。
【発明を実施するための形態】
【００１７】
図7は、本発明に係る体液吸収具の装着図である。装着方法は図2と同様に下穿きfの股部に置き、柄布dで股部をくるんでスナップ等の止め具eで固定する。
【００１８】
図7のy−y線断面の略示拡大図を図8に示す。肌布a及び吸収布bは、瞬間的な吸収量が多いものを用いることで図5に示す横漏れを防ぐ。
【００１９】
そして肌布a、吸収布bの両端を折り返してhにて縫着し、それをくるむように遮水布cをiで縫着する。主に体液が排出される中央部では、bと柄布dとの縫着がないため、体液を完全にa及びbにて吸収し、cによってd及び外部への漏れを防ぐことができる。図7に示す通りこの時縫着線hは、両端から中央に向けて円弧を描くようにすることで腿周りの擦過が生じにくく着用感が良くなる。
【００２０】
前述a〜cの縫合体は、図７に示すgで柄布dに縫い止める。遮水布cに縫い穴があくのは、図8iと図７gのみであり、いずれも吸収布よりも高く位置するため、外部への漏れにはつながらない。
【００２１】
gによって柄布ではなく下穿きに縫い付け固定することにより、吸収付下穿きに応用することが可能である。
【符号の説明】
【００２２】
a  肌布
b  吸水布
c  遮水布
d  柄布
e  スナップ等の止め具
f  ショーツ等下穿き
g  a、ｂ、ｃの縫合体とｄを縫着する線
h  aとbを折り返す縫合線
i  aとcを縫着する線
【図１】
2016005499.tif 000003
【図２】
2016005499.tif 000004
【図３】
2016005499.tif 000005
【図４】
2016005499.tif 000006
【図５】
2016005499.tif 000007
【図６】
2016005499.tif 000008
【図７】
2016005499.tif 000009
【図８】
2016005499.tif 000010